(57)【特許請求の範囲】
【請求項１】
車両のボデー構造に接着剤を介して固定された車両窓と、ワイパーとの凍結を防止するための凍結防止装置であって、
前記車両窓の下縁部に配設された発熱部を前記ワイパーの停止位置と重複して設け、
前記発熱部は電熱線からなり、前記発熱部の配設された領域のうち、前記接着剤が配された領域と重複する領域の前記電熱線の電力密度は、その他の領域の前記電熱線の電力密度よりも高くなるように構成されていることを特徴とする凍結防止装置。
【発明の詳細な説明】
【技術分野】
【０００１】
本発明は凍結防止装置に関する。
【背景技術】
【０００２】
従来、寒冷地においては車両の外気温低下によりフロントガラス表面とワイパーブレードとが凍結してしまい、これによってワイパーを動かすことができなくなることがあった。このため、フロントガラスのガラス面のワイパーの停止位置、即ちフロントガラスの下端部周縁に電熱線を装着し、発熱させることでワイパーブレードとフロントガラス表面の凍結を防止することが知られている（例えば、特許文献１〜３参照）。
【先行技術文献】
【特許文献】
【０００３】
【特許文献１】実公昭６３−５５号公報
【特許文献２】実公平２−１４４２４７号公報
【特許文献３】実公昭６１−２０４８６３号公報
【発明の概要】
【発明が解決しようとする課題】
【０００４】
しかしながら、このような凍結防止装置を作動させて電熱線を発熱させると、電熱線が均一に発熱しているにも関わらずフロントガラスにおける熱分布にばらつきが生じてしまうという問題がある。
【０００５】
そこで、本発明の課題は、上記従来技術の問題点を解決することにあり、車両窓とワイパーとの凍結を防止すると共に、発熱時の熱分布のばらつきを抑制することができる凍結防止装置を提供しようとするものである。
【課題を解決するための手段】
【０００６】
本発明の凍結防止装置は、車両のボデー構造に接着剤を介して固定された車両窓と、ワイパーとの凍結を防止するための凍結防止装置であって、前記車両窓の下縁部に配設された発熱部を前記ワイパーの停止位置と重複して設け、前記発熱部は電熱線からなり、前記発熱部の配設された領域のうち、前記接着剤が配された領域と重複する領域の前記電熱線の電力密度は、その他の領域の前記電熱線の電力密度よりも高くなるように構成されていることを特徴とする。前記発熱部の配設された領域のうち、前記接着剤が配された領域と重複する領域は、その他の領域よりも発熱量が多くなるように構成されていることで、熱分布のばらつきを抑制することができる。
【０００７】
本発明の好ましい実施形態としては、前記発熱部は電熱線からなることが挙げられる。
【０００８】
前記電熱線は、前記接着剤が配された領域と重複する領域では、その他の領域よりも電力密度が高くなるように構成されていることが好ましい。このように構成されていることで、簡易に熱分布のばらつきを抑制することができる。
【発明の効果】
【０００９】
本発明の凍結防止装置によれば、車両窓とワイパーとの凍結を防止すると共に、発熱時の熱分布のばらつきを抑制することができるという優れた効果を奏し得る。
【図面の簡単な説明】
【００１０】
【図１】実施形態にかかる凍結防止装置を有する車両の斜視図である。
【図２】実施形態にかかる凍結防止装置を説明するための車両の一部拡大模式図である。
【図３】実施形態にかかる凍結防止装置を説明するための車両の一部拡大模式図である。
【図４】実施形態にかかる凍結防止装置を説明するための図２のＸ−Ｘ’線における断面模式図である。
【図５】実施形態にかかる凍結防止装置を説明するための（１）電気系統の模式図、（２）配線の一部拡大図である。
【発明を実施するための形態】
【００１１】
本発明の凍結防止装置を有する車両について図１〜図５を用いて説明する。
【００１２】
車両の斜視図である図１に示すように、車両１は、その前面にフロントガラス２を有する。フロントガラス２とこのフロントガラス表面を拭き取るワイパー３とは、フロントボデー本体４に固定されている。
【００１３】
図２は、車両のワイパーが設けられている部分の一部拡大模式図であり、図３は図２のワイパー部分を点線で示したものである。図４は図２のＸ−Ｘ’線における断面模式図である。
【００１４】
図４に示すように、フロントガラス２は、上面ガラス２１及び下面ガラス２２、並びに上面ガラス２１及び下面ガラス２２間に設けられた中間膜２３とからなる、いわゆる合わせガラスとなっている。フロントガラス２は、接着剤層２４を介して車体を構成するフロントボデー本体４に固定されている。接着剤層２４は、例えばウレタン系接着剤からなる。
【００１５】
接着剤層２４は、図２に示すように、フロントガラス２の周縁に沿って設けられた接着剤領域２５に亘って設けられている。この接着剤領域２５は、フロントガラス２の下端部においてワイパー３のワイパーブレード３３の停止位置と重複して設けられている。
【００１６】
フロントガラス２の上面ガラス２１と中間膜２３との間には、ワイパー３の凍結防止装置の発熱部としての電熱線３１が設けられている。電熱線３１は、発熱することができるように構成されていればよく、本実施形態では、電熱線３１は銀からなるプリント配線である。電熱線３１は、図２に示すように電熱線領域３２に亘って設けられている。電熱線領域３２は、フロントガラス２の下端側に、ワイパー３のワイパーブレード３３の停止位置に沿って設けられている。
【００１７】
電熱線３１は、図５に示すように、スイッチ部３４を介して電源３５に接続されている。即ち、これらの電熱線３１、スイッチ部３４及び電源３５により凍結防止装置が構成されている。
【００１８】
電熱線領域３２及び接着剤領域２５は、どちらもフロントガラス２の下端部のワイパー３のワイパーブレード３３の停止位置に設けられていることから、フロントガラス２を正面視すると重複している領域がある。即ち、電熱線領域３２は、接着剤領域２５と重複する領域Ａと、その他の領域、即ち接着剤領域２５と重複しない領域Ｂとからなる。
【００１９】
このように電熱線領域３２が領域Ａと領域Ｂとからなる場合に、本実施形態では、領域Ａでは、電熱線３１は、領域Ｂにおける電熱線３１よりも電力密度が高くなるように構成されている。具体的には、図５（２）に示すように、電熱線３１は、領域Ｂよりも領域Ａでその電熱線３１の幅が細くなることにより電力密度を高くしている。これにより、領域Ａにおける電熱線３１の発熱温度は、領域Ｂにおける電熱線３１の発熱温度よりも高い。
【００２０】
本実施形態では、スイッチ部３４をオン状態とすることで電源３５により通電されて電熱線３１が発熱することで、フロントガラス２とワイパーブレード３３との凍結を溶解して、ワイパーブレード３３の駆動を確保することができる。
【００２１】
この場合に、電熱線３１では領域Ａにおける電力密度が領域Ｂにおける電力密度よりも高くなるように構成されていることで、フロントガラス２における温度分布のばらつきを抑制できる。これは以下のような理由である。
【００２２】
通常、フロントガラス２に接着剤領域２５と電熱線領域３２とが完全に重複するように設けることは車両のインテリアの制約上難しく、また、完全に重複しないように設けることも難しい。従って、必ず接着剤領域２５と電熱線領域３２とは上述のようにフロントガラス２の一部において重複してしまう。
【００２３】
この電熱線領域３２と接着剤領域２５とが重複する領域Ａでは、接着剤層２４を介して電熱線３１で発熱した熱がフロントボデー本体４に逃げてしまい温度が低下する。従って、例えば電熱線領域全体に亘って均一な発熱を行うように均一な電力密度で電熱線を構成すると、接着剤領域と重複する領域では重複しない領域に比べて温度が低下してしまう。そうすると、フロントガラスにおける温度分布が不均一となり、効率的に凍結を防止できないばかりか、フロントガラスの電熱線領域において温度差が発生している位置に応力が発生し、これがフロントガラスにひび割れ等を生じさせる可能性があると考えられる。
【００２４】
そこで、本実施形態では、電熱線領域３２全体に亘って温度分布が均一となるように、領域Ａでは領域Ｂよりも高い電力密度となるように電熱線３１を構成している。これにより、電熱線領域３２のうち接着剤領域２５と重複する領域Ａでは接着剤層２４を介して電熱線３１による熱がフロントボデー本体４に逃げてしまったとしても、領域Ｂとは温度が変わらないので電熱線領域３２全体に亘って温度分布が均一となる。これにより、フロントガラス２での応力の発生を抑制することができる。
【００２５】
このように、電熱線３１では領域Ａにおける電力密度が領域Ｂにおける電力密度よりも高くなるように構成されていることで、フロントガラス２における温度分布のばらつきを抑制できる。
【００２６】
上述した実施形態では、凍結防止手段として電熱線３１を例示したが、これに限定されない。発熱することができればよく、例えば加熱流体を流通させることができるように構成してもよい。
【００２７】
本実施形態では、電熱線領域３２全体に亘って一の電熱線３１を設けたが、これに限定されない。例えば、電熱線領域３２の領域Ａ、Ｂにそれぞれ別の電熱線を設けるように構成してもよい。この場合であっても、電熱線領域３２の領域Ａに設けられた電熱線が領域Ｂに設けられた電熱線よりも電力密度が高くなるように構成されていればよい。
また、電熱線３１が複数の電熱線からなるように構成してもよい。
【００２８】
本実施形態では、車両窓の一例としてフロントガラスを示したが、これに限定されない。ワイパーが設けられる車両窓であればよい。
【符号の説明】
【００２９】
１     車両
２     フロントガラス
３     ワイパー
４     フロントボデー本体
２１   上面ガラス
２２   下面ガラス
２３   中間膜
２４   接着剤層
２５   接着剤領域
３１   電熱線
３２   電熱線領域
３３   ワイパーブレード
３４   スイッチ部
３５   電源
【図１】
0005892326.tif 000002
【図４】
0005892326.tif 000003
【図５】
0005892326.tif 000004
【図２】
0005892326.tif 000005
【図３】
0005892326.tif 000006